(57)【要約】      （修正有）【課題】チップ等の電子部品の両側の軟ろうを同時に溶かし回路基板からチップ等の電子部品を容易に取り外すことができる熱風噴出装置を提供する。【解決手段】熱風噴出装置は、中空のハウジング１０を備え、ハウジングはヘッド１１を備え、ヘッドの前側には、前記ハウジング内と連通し且つ二列に配列された通風孔１５と２つの挟部１３が設置され、前記挟部は互いに向けてまたは離れるように移動できることを特徴とする熱風噴出装置。【選択図】図１
2014154880.tif 000002
【特許請求の範囲】
【請求項１】
中空のハウジングを備え、前記ハウジングはヘッドを備え、前記ヘッドの前側には前記ハウジング内と連通し且つ二列に配列された通風孔が設けられていることを特徴とする熱風噴出装置。
【請求項２】
前記ハウジングの前側には２つの挟部が設置され、前記挟部は互いに向けてまたは離れるように移動できることを特徴とする請求項１に記載の熱風噴出装置。
【請求項３】
前記ハウジングの前側において、前記二列に配列された通風孔の間には、収容溝が設けられ、前記挟部は前記収容溝に回転可能に収容されることを特徴とする請求項２に記載の熱風噴出装置。
【請求項４】
前記挟部の対面する側の前端には、互いに向けて延伸する当止片がそれぞれ設置されていることを特徴とする請求項２又は３に記載の熱風噴出装置。
【請求項５】
前記ハウジングは更にヘッドの後部に連接し且つ中空の延伸部を備え、前記延伸部内には伝動部品及び移動部品が備えられ、前記伝動部品は前記移動部品に連接する伝動部及び前記伝動部に連接する操作部を備え、前記操作部が動くと、前記移動部品は前記挟部の前部を互いに向けてまたは離れるように移動させることを特徴とする請求項２から４の何れか一項に記載の熱風噴出装置。
【請求項６】
前記延伸部には、前記延伸部の内部と連通するスライドスロットが設けられ、前記操作部は前記スライドスロットから露出し、前記操作部をヘッドの方向に向けてまたは離れる方向に移動させると、前記移動部品は前記挟部の前部を互いに向けてまたは離れるように移動させることを特徴とする請求項５に記載の熱風噴出装置。
【請求項７】
前記伝動部には複数の歯部が設置され、前記延伸部には、前記伝動部の歯部とそれぞれ噛み合う歯車が回転可能に取り付けられていることを特徴とする請求項５に記載の熱風噴出装置。
【請求項８】
前記移動部品は、前記伝動部に連接する連接部及び連接部の前端から互いに離れるように延伸する当接片を備え、前記当接片は前記挟部にそれぞれ当接されることを特徴とする請求項５に記載の熱風噴出装置。
【請求項９】
前記挟部の相対する両側には、制限部がそれぞれ突出され、前記制限部が、ヘッドの外側に当接されると、前記挟部は回転できなくなることを特徴とする請求項２から８の何れか一項に記載の熱風噴出装置。
【請求項１０】
前記操作部からは、前記延伸部の内壁に当接し且つ前記スライドスロットをカバーする封鎖部が延出していることを特徴とする請求項６に記載の熱風噴出装置。
【発明の詳細な説明】
【技術分野】
【０００１】
本発明は、熱風噴出装置に関するものである。
【背景技術】
【０００２】
従来の技術において、熱風噴出装置は、回路基板に固定されたチップ等の電子部品を取り外す際に使用される。具体的には、チップを回路基板に固定するために使用されている軟ろうに熱風を吹き付けて軟ろうを溶かす。しかし、熱風噴出装置の吹出口は１つのみであるため、熱風をチップの両側に順番に吹き付けなければならない。従って、チップが大きい場合、一側にある軟ろうを溶かした後、他側の軟ろうを溶かす過程において、先に溶かした軟ろうが再度固化し始めるため、何度も吹き付け作業を繰り返さなければならない。
【発明の概要】
【発明が解決しようとする課題】
【０００３】
本発明の目的は、前記問題を解決し、チップ等の電子部品の両側にある軟ろうを同時に溶かすことができる熱風噴出装置を提供することである。
【課題を解決するための手段】
【０００４】
上記目的を達成するために、本発明に係る熱風噴出装置は、中空のハウジングを備え、前記ハウジングはヘッドを備え、前記ヘッドの前側には前記ハウジング内と連通し且つ二列に配列された２つの通風孔が設けられている。
【発明の効果】
【０００５】
本発明に係る熱風噴出装置は、二列に配列された通風孔が設けられているので、同時にチップ等の電子部品の両側の軟ろうを溶かすことができる。
【図面の簡単な説明】
【０００６】
【図１】本発明の実施形態に係る熱風噴出装置とチップとの斜視図である。
【図２】図１に示す熱風噴出装置のハウジングの半分を示す図である。
【図３】図１に示す熱風噴出装置の分解斜視図である。
【発明を実施するための形態】
【０００７】
図１〜図３に示したように、本発明の実施形態に係る熱風噴出装置は、チップ１００を取り外す際に使用される。チップ１００は、本体１０１及び本体１０１の両側にそれぞれ設置されたピン１０２を備える。熱風噴出装置は、ハウジング１０と、伝動部品２０と、移動部品３０と、を備える。
【０００８】
ハウジング１０は、中空のヘッド１１及びヘッド１１の後部に連接された筒形で且つ中空の延伸部１６を備える。ヘッド１１の前側１１２には、延伸部１６の延在方向（前後方向）に直交する方向（左右方向）に延在し、左右方向においてヘッド１１を貫通する収容溝１２と、二列に配列された通風孔１５と、が設けられている。該二列の通風孔１５は延伸部１６及び収容溝１２双方の延在方向に直交する方向（上下方向）において収容溝１２を挟む両側で、収容溝１２の上方及び下方にそれぞれ位置する。収容溝１２は、対向する２つの側壁１２３と、側壁１２３の後端から該後端に対して垂直に連接された底壁１２６と、によって画成されている。底壁１２６の左右両端には、ヘッド１１の内部と連通する開口１２２がそれぞれ設けられている。また、延伸部１６の上面には、前側１１２に垂直し且つ延伸部１６の内部と連通するスライドスロット１８が設けられている。
【０００９】
収容溝１２の左右両端には、挟部１３がそれぞれ設置されている。各挟部１３には、１つの回転軸１２５が挿通されている。各回転軸１２５の上下両端は、対応する挟部１３の上面及び底面からそれぞれ突出し且つ前記２つの側壁１２３に形成されている係合凹部内にそれぞれに挿入される。これによって、挟部１３はヘッド１１に対して上下方向の軸回りで回転可能に装着される。挟部１３の互いに面する側（内側）の前端には、互いに向けて延伸する当止部１３１がそれぞれ設置されている。挟部１３の相対する両側（外側）には、制限部１３２がそれぞれ突設されている。
【００１０】
伝動部品２０及び移動部品３０は延伸部１６内に収容される。伝動部品２０は、前後方向に延在し、左右両側に複数の歯部２１１がそれぞれ設けられている伝動部２１と、伝動部２１の両側にそれぞれ位置する２つの歯車２２と、伝動部２１の後端部から上方に突出する操作部２３と、を備える。伝動部２１は前側１１２と垂直に位置する。各歯車２２には、延伸部１６の内壁１６２から突出する回転ポスト２２２が挿通されており、歯車２２は、上下方向に延在する回転ポスト２２２を中心に回転するように延伸部１６に対して取り付けられている。各歯車２２の歯は伝動部２１の対応する側にある歯部２１１と噛み合う。操作部２３は、伝動部２１の上面から突出し且つスライドスロット１８内にスライド可能に収容されている。また、操作部２３からは、延伸部１６の内壁１６２に当接し且つスライドスロット１８をカバーする封鎖部２３２が延出している。これによって、熱風がスライドスロット１８を通して延伸部１６の外部へ洩れるのを防止することができる。
【００１１】
移動部品３０は、Ｕ字状を呈する連接部３０１と、連接部３０１の前端から前方に向かうにしたがって互いに離れるように延伸する上面視で弧形の２つの当接片３３と、を備える。連接部３０１は、伝動部２１の前端に連接される板状の連接片３１と、連接片３１の左右両端からヘッド１１に向けてそれぞれ延伸する延伸片３２をと、備える。当接片３３は、延伸片３２の前端からそれぞれ延伸し、開口１２２をそれぞれ貫通した後、挟部１３の内側の後端にそれぞれ当接される。
【００１２】
使用する際、通風孔１５を本体１０１の両側にそれぞれ設置されたピン１０２にそれぞれ対向させ、次に、熱風噴出装置を起動させる。この時、熱風は、延伸部１６、ヘッド１１、通風孔１５を経てピン１０２に向けて噴出され、ピン１０２を回路基板に固定するために使用された軟ろうを同時に熔かす。次いで、熱風噴出装置をオフにし、且つチップを移動させると同時に、操作部２３を前方に且つヘッド１１の方向までスライドさせ、伝動部２１及び歯車２２を連動させる。連接部３０１は伝動部２１によってヘッド１１の方向へ押圧される。この時、当接片３３は、弾性変形し且つ挟部１３を押圧して挟部１３の前端を互いに離れるように回転させる。これによって、チップ１００の本体１０１は収容溝１２内に且つ挟部１３の間に収容される。制限部１３２はヘッド１１の外側に当接されると、挟部１３は回転できなくなり、この時、各延伸片３２の外側の前端には、柱体３５が設置されているので、延伸片３２は弾性変形しない。次に、ヘッド１１と離れるように操作部２３を移動させると、当接片３３は弾性復帰して挟部１３の前端を互いに向けて移動させる。これによって、チップ１００の本体１０１は挟部１３に挟まれ且つ当止部１３１に当止され、回路基板から取り外すことができる。
【符号の説明】
【００１３】
１０  ハウジング
１００  チップ
１０１  本体
１０２  ピン
１１  ヘッド
１１２  前側
１２  収容溝
１２２  開口
１２３  側壁
１２５  回転軸
１２６  底壁
１３  挟部
１３１  当止部
１３２  制限部
１５  通風孔
１６  延伸部
１６２  内壁
１８  スライドスロット
２０  伝動部品
２１  伝動部
２１１  歯部
２２  歯車
２２２  回転ポスト
２３  操作部
２３２  封鎖部
３０  移動部品
３０１  連接部
３１  連接片
３２  延伸片
３３  当接片
３５  柱体
【図１】
2014154880.tif 000003
【図２】
2014154880.tif 000004
【図３】
2014154880.tif 000005